(57)【特許請求の範囲】
【請求項１】
走行装置を有する車台上に脱穀装置を搭載し、その前部に刈取前処理装置を装着してなるコンバインにおいて、先端部分を前記刈取前処理装置に回動自由に枢着して車台の外側部に沿わせて後方に延長したナロ−ガイドを設け、該ナロ−ガイドの中間部に枢着連結した摺動支持杆を摺動自由に支持する支持部材を前記刈取前処理装置に取り付けて設け、該支持部材の一方側に前記摺動支持杆を遊動状態に挿通したロックプレ−トを傾動可能に設け、該ロックプレ−トが摺動支持杆に対して傾斜状態になったとき該摺動支持杆の摺動をロックするように構成し、さらに、前記刈取前処理装置は車台の前部において左右方向にスライドするように構成し、前記支持部材は、パイプ状に形成すると共に、前記刈取前処理装置の刈取搬送枠から車台の外側に向けて設けた腕杆に回動自由に取り付けて構成したことを特徴とするコンバインのナロ−ガイド装置。
【発明の詳細な説明】
【０００１】
【発明の属する技術分野】
本発明は、コンバインのナロ−ガイド装置に関するものである。
【０００２】
【従来の技術】
コンバインに使用されるナロ−ガイドは、前進しながら刈取脱穀作業を行なうときには車台の側部から外方に張り出して隣接した未刈穀稈の条列を車台から遠くへ押し離して車台に接触させたり巻き込まないようにしながら作業を行なう。又、コンバインは、路上走行や格納等の非作業時においては、ナロ−ガイドを車台側に収納して全体の車幅を狭くして周囲に邪魔にならないようにするのが普通である。
【０００３】
このようなナロ−ガイド装置の切替機構は、従来装置にあっては、ねじを締めたり緩めたりして行なう構成になっている。
【０００４】
【発明が解決しようとする課題】
ナロ−ガイド装置は、従来から、作業に応じて車台の側部から外方に拡張したり、車台側部に沿うように収納したりする拡縮移動調節を頻繁に行なうものである。したがって、ナロ−ガイド装置は、構成が簡単であるとともに、拡張や収納時の操作が容易にできることが要請されている。
【０００５】
この発明は、前述した従来型の欠陥を解消して上記した課題を解決することを目的とするものである。
【０００６】
【課題を解決するための手段】
本発明は、上述の如き課題を解決するために次の如き技術手段を講ずるものである。すなわち、走行装置を有する車台上に脱穀装置を搭載し、その前部に刈取前処理装置を装着してなるコンバインにおいて、先端部分を前記刈取前処理装置に回動自由に枢着して車台の外側部に沿わせて後方に延長したナロ−ガイドを設け、該ナロ−ガイドの中間部に枢着連結した摺動支持杆を摺動自由に支持する支持部材を前記刈取前処理装置に取り付けて設け、該支持部材の一方側に前記摺動支持杆を遊動状態に挿通したロックプレ−トを傾動可能に設け、該ロックプレ−トが摺動支持杆に対して傾斜状態になったとき該摺動支持杆の摺動をロックするように構成し、さらに、前記刈取前処理装置は車台の前部において左右方向にスライドするように構成し、前記支持部材は、パイプ状に形成すると共に、前記刈取前処理装置の刈取搬送枠１３から車台の外側に向けて設けた腕杆に回動自由に取り付けて構成したことを特徴とするコンバインのナロ−ガイド装置である。
【０００７】
作業に先だって、ロックプレ−ト８を摺動支持杆６に対して直角状態にすると、ナローガイド５は、ロックプレ−ト８によるロック状態から開放された摺動支持杆６の摺動により、車台２の外方へ張り出せるようになる。
このようにして、ナローガイド５は、刈取前処理装置４および車台２の外側に張出した作業態勢となり、摺動支持杆６に対して傾斜した関係角度を保つロックプレート８によってロックされ、移動ができない状態が確保される。
【０００８】
一方、コンバインを路上走行させたり、納屋に格納する場合に、ロックプレート８を摺動支持杆６に対して直角状態にする。すると、摺動支持杆６は支持部材７に対して摺動できる状態となってナローガイド５を収納でき、この後、該ナローガイド５は、摺動支持杆６に対して傾斜した関係角度を保つロックプレート８によってロックされ、拡張移動ができない状態が確保される。
【０００９】
【発明の効果】
本発明によると、ナローガイドの拡張と収納との間の移動および各位置でのロックをきわめて簡単な操作によって行なうことができる。
【００１０】
【発明の実施の形態】
まず、その構成について述べる。コンバイン９は、走行装置１としてクロ−ラを有する車台２上にフィ−ドチエン１０を一側に設けた脱穀装置３を穀稈供給口１１を前側にして搭載している。
【００１１】
なお、脱穀装置３は、従来から周知の構成であって、上部には扱胴を内装した扱室を設け、その下方に選別室を配置して構成している。
刈取前処理装置４は、後端上部を車台２側に枢着して油圧シリンダ１２によって上下昇降自由に設けた刈取搬送枠１３に、前側から分草杆１４、穀稈引起し装置１５、刈取装置１６、株元搬送装置１７、穂先搬送装置１８を設けて構成している。
【００１２】
そして、分草杆１４は、刈取搬送枠１３の先端低部にあって、車台２の前進にともなって圃場の植立穀稈を分草する構成としている。穀稈引起し装置１５は、引起しラグ１９を有する引起しケ−ス２０を傾斜状態に設けて分草後の倒伏穀稈を引き起こすように構成している。
【００１３】
そして、刈取装置１６は、レシプロ式の刈刃を用い前記穀稈引起し装置１５の下方位置に設け、引起し完了後の穀稈を刈り取るように構成している。株元搬送装置１７は、刈り取った穀稈の株元をチエンと挟扼杆とによって挾持して後方上方へ搬送する構成としている。穂先搬送装置１８は、従来同様に、搬送ラグを有し上述のように株元を挾持されて搬送されている穀稈の穂先側を係止して搬送する構成としている。
【００１４】
以上のように構成した刈取前処理装置４は、車台２の前部において左右方向にスライドするように設け、畦際の刈取ときや湿田作業において未刈穀稈からクロ−ラを離して刈取前処理装置４を穀稈側にスライドさせて走行できるように構成している。
【００１５】
ナロ−ガイド５は、細長い棒状部材からなり、その始端部を刈取前処理装置４を構成する刈取搬送枠１３の分草杆１４の後方位置に回動自由に枢着し、中間部分から後端部分を車台２の側部に沿わせて後方に延長し、後端部を車台２に設けた摺動受具２１に回動および摺動自由に挿通して支持して構成している。
【００１６】
そして、支持部材７は、パイプ状に形成し、刈取搬送枠１３から車台２の外側に向けて設けた腕杆２２に回動自由に取付て設け、前記ナロ−ガイド５の中間部分に枢着した摺動支持杆６を挿通して支持する構成としている。なお、摺動支持杆６は、ナロ−ガイド５を車台２の側部から出し入れ移動すると支持部材７に支持された状態で摺動する構成となっている。
【００１７】
そして、ロックプレ−ト８は、摺動支持杆６の外径よりはるかに大径の挿通孔を穿設して前記支持部材７の両側において、摺動支持杆６に挿通しており、該摺動支持杆６と直角状にしたときにはその摺動支持部材６をフリ−とし、摺動支持杆６に対して斜めになったときにロックする構成としている。
【００１８】
なお、一対のロックプレ−ト８は、一端側を相互に張圧ばね２３によって張圧して、通常はばね圧によって摺動支持杆６に対して傾斜状態になってその摺動支持杆６の軸方向への摺動移動をロックする構成としている。
【００１９】
【００２０】
【００２１】
次にその作用について説明する。ナロ−ガイド５は、張圧ばね２３に引かれて摺動支持杆６に対して傾斜した関係角度を保っているロックプレ−ト８によってロックされ、拡張移動ができない状態が確保されている。
【００２２】
そこで、まず、作業に先だって、ナロ−ガイド５を車台２の外側方に拡張する操作は、摺動支持杆６に対して傾斜した関係で摺動支持杆６をロックしているロックプレ−ト８の先端部分を握って張圧ばね２３に抗して摺動支持杆６に対して直角状態で平行にする。すると、ナロ−ガイド５は、ロックプレ−ト８によるロック状態から開放された摺動支持杆６が支持部材７内を摺動して車台２の外方へ、図１に示す実線の状態に張り出してくる。
【００２３】
このようにして、ナロ−ガイド５は、図２の仮想線に示すように、刈取前処理装置４および車台２の外側（未刈り穀稈側）に張出した状態になり作業態勢となる。以上のように準備をして、コンバイン９の回転各部を駆動しながら刈取脱穀作業を開始すると、圃場の穀稈条列は、まず、分草杆１４の先端によって左右に分草され刈幅内に進むものと分草杆１４（未刈り穀稈側）の外側になるものとに区分される。
【００２４】
そして、分草杆１４の外側に位置する未刈り穀稈条列は、刈取前処理装置４の前部からナロ−ガイド５の始端部分で外側方への押圧力を受けて順次離され、その刈取前処理装置４と後方の車台２から遠い位置に押されて離れ、刈取前処理装置４に絡んだり、車台２に接触して脱粒するのを未然に防止できる。
【００２５】
このように、コンバイン９は、前進しながら作業を続けると、刈幅内にある穀稈が穀稈引起し装置１５の引起しラグ１９によって引き起こされ、株元が刈取装置１６に達して刈り取られる。そして、刈取穀稈は、株元部分が株元搬送装置１７の始端部分に達して挟扼搬送が開始され、上部が穂先搬送装置１８の搬送ラグに係止されて順次上方へ搬送される。
【００２６】
そして、穀稈は、フィ−ドチエン１０の始端部に達して挟扼状態となって搬送されながら穀稈供給口１１から扱室に供給されて回転している扱胴によって脱穀される。このようにして、脱穀される穀稈は、回転している扱胴の扱歯によって持ち回られながら更に脱穀作用を受け、下方の選別室に落下して選別処理されるものである。
【００２７】
つぎに、コンバイン９を路上走行したり、納屋に格納する場合には、ロックプレ−ト８の先端部分を握って張圧ばね２３に抗しながらそのロックプレ−ト８を摺動支持杆６に直角状態にまで移動する。すると、摺動支持杆６は、支持部材７に対して摺動できる状態に開放されるから、ナロ−ガイド５を、図２に示す実線の状態に収納する。
【００２８】
このようにして、ナロ−ガイド５は、刈取前処理装置４や車台２に接近する方向に収納され全体の横幅を狭くできて、路上走行や納屋への格納にきわめて便利である。
【図面の簡単な説明】
【図１】本発明の一実施例であって、その作用を示す平面図である。
【図２】本発明の一実施例であって、その作用を示す平面図である。
【図３】本発明の一実施例であって、その側面図である。
【符号の説明】
１…走行装置、２…車台、３…脱穀装置、４…刈取前処理装置、５…ナロ−ガ
イド、６…摺動支持杆、７…支持部材、８…ロックプレ−ト、１３…刈取搬送枠、
２２…腕杆。
【図１】
0003627257.tif 000002
【図２】
0003627257.tif 000003
【図３】
0003627257.tif 000004